(57)【特許請求の範囲】
【請求項１】
軒先の腕木、母屋、野縁、野地板、軒裏板等の各種の軒先部材を予め一体に複合化した出隅軒先ユニットを、軒先の出隅コーナーを挟んで取り付けるとともに、これら出隅軒先ユニットから出隅コーナー側へ張り出したフレーム材同士を連結して、それらフレーム材へ野地板や軒裏板等の面材を取り付けるようにしたことを特徴とする軒先屋根の施工方法。
【請求項２】
出隅軒先ユニットのフレーム材は、母屋の端部を出隅コーナー側へ張り出させてなる請求項１記載の軒先屋根の施工方法。
【請求項３】
軒先の腕木、母屋、野縁、野地板、軒裏板等の各種の軒先部材を予め一体に複合化し、腕木に設けた取付部を躯体側へ取り付けるとともに、軒先母屋の端部を出隅コーナー側へ張り出させて、出隅コーナーを挟んで隣接する他の出隅軒先ユニットと連結するようにしたことを特徴とする出隅軒先ユニット。
【請求項４】
腕木は、水平部と、その水平部より立ち上がった垂直部と、それら水平部と垂直部との間に跨る傾斜部とからなる略直角三角形状であって、傾斜部の上側に野地板を、水平部の下側に軒裏板を取り付け、且つ、垂直部の上端部分に躯体への取付部を設けた請求項３記載の出隅軒先ユニット。
【請求項５】
複数の腕木を適宜間隔をあけて配置し、これら腕木の水平部の前端間に跨って軒先母屋を取り付けるとともに、その軒先母屋の出隅コーナー側へ張り出した端部と腕木とを野縁を介して連結した請求項４記載の出隅軒先ユニット。
【発明の詳細な説明】
【０００１】
【発明の属する技術分野】
この発明は、建築物の軒先屋根の施工方法とこれに用いる出隅軒先ユニットに関する。
【０００２】
【従来の技術】
一般に、建築物の軒先屋根は、躯体側から突出させた腕木に母屋や野縁を取り付け、これら母屋や野縁に対して野地板や軒裏板を差し渡し、さらに野地板上にはアスファルトルーフィング及び瓦を配置し、また鼻隠し鉄板や見切材を取り付けるといった各種作業を経て施工される。
【０００３】
【発明が解決しようとする課題】
しかしながら、上記の各種作業は、すべて現場において行われていたので、現場作業が多くなって工期が長くなり、しかも不安定な体勢での作業となるため熟練を要するだけでなく、足場などの仮設材が必要であり、また、施工にもばらつきが生じ易いといった不具合があった。特に、母屋等が直交する出隅部の施工においては、面倒な作業を強いられていた。
【０００４】
本発明は、上記に鑑み、現場作業の軽減による工期の短縮を可能にするとともに、未熟練者でも精度の良い均一な施工を実現することを目的とする。
【０００５】
【課題を解決するための手段】
上記課題を解決するため、この発明の軒先屋根の施工方法は、軒先の腕木、母屋、野縁、野地板、軒裏板等の各種の軒先部材を予め一体に複合化した出隅軒先ユニットを、軒先の出隅コーナーを挟んで取り付けるとともに、これら出隅軒先ユニットから出隅コーナー側へ張り出したフレーム材同士を連結して、それらフレーム材へ野地板や軒裏板等の面材を取り付けるようにしている。
【０００６】
そして、出隅軒先ユニットのフレーム材は、母屋の端部を出隅コーナー側へ張り出させることによって構成されている。
【０００７】
この発明の出隅軒先ユニットは、軒先の腕木、母屋、野縁、野地板、軒裏板等の各種の軒先部材を予め一体に複合化し、腕木に設けた取付部を躯体側へ取り付けるとともに、軒先母屋の端部を出隅コーナー側へ張り出させて、出隅コーナーを挟んで隣接する他の出隅軒先ユニットと連結するようにしている。
【０００８】
また、腕木は、水平部と、その水平部より立ち上がった垂直部と、それら水平部と垂直部との間に跨る傾斜部とからなる略直角三角形状であって、傾斜部の上側に野地板を、水平部の下側に軒裏板を取り付け、且つ、垂直部の上端部分に躯体への取付部を設けるようにしている。
【０００９】
そして、複数の腕木を適宜間隔をあけて配置し、これら腕木の水平部の前端間に跨って軒先母屋を取り付けるとともに、その軒先母屋の出隅コーナー側へ張り出した端部と腕木とを野縁を介して連結している。
【００１０】
【発明の実施の形態】
以下、本発明の一実施形態を図面に基づいて詳細に説明する。図１は、本発明の一実施形態に係る出隅軒先ユニットの分解斜視図、図２は、一部を切断した腕木の斜視図、図３は、一部を切断したコーナー側腕木の斜視図、図４は、腕木に野縁類を取り付けた状態を示す斜視図、図５は、出隅軒先ユニットの斜視図、図６は、床梁へ取り付けた出隅軒先ユニットの縦断面図、図７は、同じくその取付部分の拡大縦断面図、図８は、隣接する軒先母屋同士の連結部分を示す斜視図、図９は、施工後の軒先屋根における出隅部の斜視図である。
【００１１】
本実施形態に係る出隅軒先ユニット(１)は、予め設備の整った工場で製造されるもので、図１に示すように、複数の腕木(３)(４)、母屋(５)(６)、野縁(７)〜(10)、野地板(11)、軒裏板(12)(13)等の各種の軒先部材を一体に複合化してなる。
【００１２】
腕木(３)(４)のうち、一方の端部に位置する腕木(３)は、図２に示すように、帯状の金属板からなる水平部(22)と、その水平部(22)の後端より立ち上がった帯状の金属板からなる垂直部(23)と、それら水平部(22)と垂直部(23)との間に跨るＣ型断面を有する溝型鋼からなる傾斜部(24)とによって略直角三角形状に形成されている。
【００１３】
水平部(22)と垂直部(23)とは、一体に形成されており、水平部(22)の前端部分は、ユニット内部側に向かってＬ型に折り曲げられて軒先母屋取付片(25)とされ、垂直部(23)の上端部分には、躯体(２)側への取付部(26)が設けられている。なお、水平部(22)の軒先母屋取付片(25)近傍、及び垂直部(23)の上端部分には、横綴り用のボルト穴(27)が夫々形成され、また軒先母屋取付片(25)には、上下一対のボルト穴(28)(28)が形成されている。
【００１４】
取付部(26)は、水平片(30)と、垂直片(31)とからＬ型に形成されており、水平片(30)が水平部(22)と反対側に向かって突出するように、垂直片(31)の上下方向に沿った一端が垂直部(23)に溶接されている。また、取付部(26)の垂直片(31)には、躯体(２)側への固定用の上下一対のボルト穴(32)(32)が形成され、さらにその下側には、軒先ユニット(１)の通りを調整するための通り調整ボルト(82)を螺着するねじ穴(33)が形成されている。
【００１５】
また、水平部(22)の下面には、そのほぼ中央の段差部分に、ボルト穴(35)を有する野縁取付片(36)がユニット内部側に向かって水平に突出するように溶接によって取り付けられている。さらに、水平部(22)と垂直部(23)とのコーナー部分の下面には、同じくボルト穴(37)を有する水平な野縁取付片(38)がユニット内部側に向かって水平に突出するように溶接によって取り付けられている。なお、これら野縁取付片(36)(38)は、同じ高さ位置に配されている。
【００１６】
傾斜部(24)は、そのウエブ上端が垂直部(23)のユニット内部側面に、ウエブ下端が水平部(22)のユニット内部側面にそれぞれ溶接されることによって、取り付けられている。また、傾斜部(24)の上部フランジには、クレーンワイヤー等の吊上部材を引っ掛けるための複数の掛止穴(46)(46)…が適当な間隔をあけて形成され、その上端には、ボルト穴(47)を有するＬ型の母屋取付片(48)が溶接によって取り付けられている。
【００１７】
上記の構成により、腕木(３)は、傾斜部(24)、取付部(26)、母屋取付片(25)(48)及び野縁取付片(36)(38)が、水平部(22)や垂直部(23)よりもユニット内部側に配されていて、腕木(３)のユニット外部側の面は、ほぼフラットな状態となっている。
【００１８】
他方の端部すなわち出隅コーナー側の端部に位置する腕木(４)は、図３に示すように、その傾斜部(40)がＣ型断面を有する２本の溝型鋼からなり、それらのウエブで水平部(22)及び垂直部(23)を挟み込むようにして、取り付けられている。また、取付部(41)、母屋取付片(42)(43)及び野縁取付片(44)(45)が、水平部(22)や垂直部(23)に直交するようにして取り付けられている。そして、取付部(41)には、上下一対のボルト穴(32)(32)及びねじ穴(33)が垂直部(23)を挟んだ両側に夫々形成され、軒先母屋取付片(42)には、上下一対のボルト穴(28)(28)が水平部(22)を挟んだ両側に夫々形成され、傾斜部(40)上の母屋取付片(43)には、垂直部(23)を挟んだ両側にボルト穴(47)が夫々形成され、さらに前側の野縁取付片(44)には、水平部(22)を挟んだ両側にボルト穴(35)が夫々形成され、後側の野縁取付片(45)には、水平部(22)を挟んでユニット内部側にボルト穴(37)が、ユニット外部側すなわち出隅コーナー側に左右一対のボルト穴(37)(37)が形成されている。なお、その他の構成は、腕木(３)と同様である。
【００１９】
そして、これら腕木(３)(４)の軒先母屋取付片(25)(42)へ、軒先母屋(５)をその一方の端部が腕木(４)よりもユニット外部側に向かって張り出すように前方から当てがい、この軒先母屋(５)を貫通させた取付ボルト(50)(50)…を軒先母屋取付片(25)(42)の各ボルト穴(28)(28)…に挿入し、これら取付ボルト(50)(50)…に螺合したナット(51)(51)…を締め付けることによって、軒先母屋(５)が腕木(３)(４)における水平部(22)(22)…の前端間に跨るようにして取り付けられている。
【００２０】
従って、この軒先母屋(５)の腕木(４)よりもユニット外部側すなわち出隅コーナー側へ張り出した端部が、出隅コーナーを挟んで隣接する他の出隅軒先ユニット(90)と連結されるフレーム材(49)とされ、その先端部分は斜め４５度にカットされている。そして、この軒先母屋(５)には、その傾斜した上面に略Ｌ型の野地板受け片(52)が取り付けられ、その前面及び下面を覆うようにして略Ｌ型の鼻隠し鉄板(53)が取り付けられる。
【００２１】
また、母屋取付片(43)(48)へ母屋(６)を載置して、母屋取付片(43)(48)のボルト穴(47)(47)に挿入した取付ボルト(54)(54)を母屋(６)へ貫通させ、この取付ボルト(54)(54)に螺合したナット(55)(55)を締め付けることによって、母屋(６)が腕木(３)(４)における傾斜部(24)(40)の上面間に跨るようにして取り付けられている。なお、この母屋(６)においても、その一方の端部が腕木(４)よりも出隅コーナー側に僅かに張り出して、その先端部分が斜め４５度にカットされている。
【００２２】
さらに、図４に示すように、左右の野縁取付片(36)(44)へ野縁(７)を、同じく左右の野縁取付片(38)(45)へ野縁(８)を下方から当てがい、これら野縁(７)(８)を貫通させた取付ボルト(50)(50)…を野縁取付片(36)(38)(44)(45)の各ボルト穴(35)(37)…に挿入し、これら取付ボルト(56)(56)…に螺合したナット(57)(57)…を締め付けることによって、野縁(７)(８)が腕木(３)(４)おける水平部(22)(22)の下面間に跨るようにして取り付けられている。そして、後側の野縁(８)には、見切り材(58)が取り付けられる。
【００２３】
また、腕木(４)側の野縁取付片(44)(45)には、それらの出隅コーナー側に突出した部分に跨って、野縁(９)が水平部(22)に沿うようにして取り付けられている。加えて、後側の野縁取付片(45)には、その出隅コーナ側に突出した部分に、軒先母屋(５)の先端部分に向かって延びる野縁(10)が取り付けられている。なお、これら野縁(９)(10)は、野縁(７)(８)のときと同様に取付ボルト(59)及びナット(60)によって取り付けられている。そして、野縁(10)の前端部分と軒先母屋(５)の端部とが連結金具(61)によって連結されている。
【００２４】
連結金具(61)は、図８に示すように、その後端側の水平取付片(62)が野縁(10)の上面に取付ボルト(63)及びナット(64)によって取り付けられ、その水平取付片(62)から延びた斜片(66)の先端部分が折り返しされて垂直取付片(67)とされ、この垂直取付片(67)が軒先母屋(５)のフレーム材(49)後面に取付ボルト(68)及びナット(69)によって取り付けられている。
【００２５】
そして、上記の軒先母屋(５)及び母屋(６)の上面間に跨って、野地板(11)が腕木(３)(４)の傾斜部(24)(40)の上側でこれらと平行に取り付けられている。この野地板(11)の横幅は、両側の腕木(３)(４)間の距離よりも短く、このため野地板(11)を取り付けることによって、図５に示すように、野地板(11)の両側に腕木(３)(４)を露出させる作業用開口(70)(70)が形成されるようになっている。この野地板(11)の前端上面には、広小舞(71)が取り付けられている。
【００２６】
また、軒先母屋(５)、野縁(７)〜(10)の下面間に跨って、軒裏板(12)(13)が腕木(３)(４)の水平部(22)(22)の下側でこれらと平行に取り付けられている。なお、軒裏板(13)は、その出隅コーナー側の端部が斜め方向の野地板(10)に沿って斜め４５度にカットされている。軒裏板(12)(13)は、その前端が鼻隠し鉄板(53)によって覆われ、後端が見切り材(58)によって覆われている。
【００２７】
このようにして工場で組み立てられた出隅軒先ユニット(１)は、トラック等に積載されて現場へ搬入され、図５に示すように、躯体(２)側の構造梁(72)の上下フランジ(73)(74)間に適当な間隔をあけて介装した梁中補強部材(75)(75)…へ、腕木(３)(４)が建物外方向に向かって突出するように取り付けられる。
【００２８】
この取付作業は、図６及び図７に示すように、出隅軒先ユニット(１)における各取付部(26)(41)の水平片(30)(30)を、構造梁(72)の上フランジ(73)上面に載置して、互いに一致した垂直片(31)(31)のボルト穴(32)(32)と梁中補強部材(75)(75)の垂直面に形成したボルト穴(76)(76)へ、固定ボルト(80)(80)を挿入し、この固定ボルト(80)(80)にナット(81)(81)を螺合して締め付けることによってなされる。
【００２９】
この取り付けに際して、固定ボルト(80)(80)を締め付ける前に、図７に示すように、各取付部(26)(41)における垂直片(31)(31)のねじ穴(33)(33)へ、通り調整ボルト(82)(82)を螺着して、その先端を梁中補強部材(75)(75)の垂直面に当接させ、この状態で通り調整ボルト(82)(82)の螺じ込み量を加減することで、出隅軒先ユニット(１)を取付部(26)(41)付近を中心として上下方向に僅かに揺動させ、これによって軒先ユニット(１)の軒先高さレベルすなわち通りを調整することができるようになっている。
【００３０】
そして、このようにして躯体(２)側に取り付けられた出隅軒先ユニット(１)は、出隅コーナーを挟んで隣接する他の出隅軒先ユニット(90)と横綴りされる。この出隅軒先ユニット(90)は、大きさや腕木の本数が異なるものの、その基本的な構造は出隅軒先ユニット(１)と同じであり、軒先母屋(５)の一方の端部が腕木(４)よりも出隅コーナー側に張り出して連結用のフレーム材(49)となっている。
【００３１】
出隅軒先ユニット(１)(90)の横綴り作業は、図８に示すように、それらの軒先母屋(５)(５)のフレーム材(49)(49)同士を合わせ、これによって重なり合った連結金具(61)(61)の斜片(66)(66)を接合ボルト(92)及びナット(93)によって接合することで、フレーム材(49)(49)同士を連結金具(61)(61)を介して連結するようにしている。
【００３２】
また、出隅軒先ユニット(１)は、出隅コーナーとは反対側に取り付けられた軒先ユニット(94)と横綴りされる。この横綴り作業は、出隅軒先ユニット(１)及び軒先ユニット(94)における腕木(３)(３)のフラットな面同士を合わせて、これらをボルト接合するようにしている。
【００３３】
上記の横綴り作業においては、各ユニット(１)(90)(94)の作業用開口(70)(70)…を利用して行うようにしている。ユニット施工後は、図９に示すように、作業用開口(70)(70)部分、露出した状態の軒先母屋(５)のフレーム材(49)や母屋(６)の出隅コーナー側の端部に野地板(95)を後付けして、外観を整えるようにする。
【００３４】
なお、本発明は、上記実施形態に限定されるものではなく、本発明の範囲内で、上記実施形態に多くの修正及び変更を加え得ることは勿論である。
【００３５】
【発明の効果】
以上の説明から明らかなように、本発明によれば、腕木、母屋、野縁、野地板、軒裏板等の各種の軒先部材を予め一体に複合化した出隅軒先ユニットを用いて、出隅部の施工を行うことができるので、現場での軒先施工に伴う作業を軽減して、工期の短縮が可能となり、未熟練者でも精度の良い均一な施工を実現することができる。
【００３６】
また、出隅コーナを挟んで取り付けた出隅軒先ユニットにおいて、それらの出隅コーナー側へ張り出させたフレーム材同士を連結するようにしているので、強度的に安定した軒先屋根を提供することができる。
【００３７】
さらに、出隅軒先ユニットにおいて、その腕木を略直角三角形状に形成することによって、単に躯体側から斜め下方に向かって突出させた棒状の腕木と比べて、取付強度が強く、安定した軒先施工が可能となる。さらにまた、出隅コーナー側へ張り出させたフレーム材として軒先母屋の端部と腕木とを連結することによって、ユニットの強度をさらに向上することができる。
【図面の簡単な説明】
【図１】本発明の一実施形態に係る出隅軒先ユニットの分解斜視図である。
【図２】一部を切断した腕木の斜視図である。
【図３】一部を切断したコーナー側腕木の斜視図である。
【図４】腕木に野縁類を取り付けた状態を示す斜視図である。
【図５】出隅軒先ユニットの斜視図である。
【図６】構造梁へ取り付けた出隅軒先ユニットの縦断面図である。
【図７】同じくその取付部分の拡大縦断面図である。
【図８】隣接する軒先母屋同士の連結部分を示す斜視図である。
【図９】施工後の軒先屋根における出隅部の斜視図である。
【符号の説明】
(１)  出隅軒先ユニット
(２)  躯体
(３)(４)  腕木
(５)  軒先母屋
(６)  母屋
(７)〜(10)  野縁
(11)  野地板
(12)(13)  軒裏板
(26)(41)  取付部
(49)  フレーム材
【図１】
0003798587.tif 000002
【図２】
0003798587.tif 000003
【図３】
0003798587.tif 000004
【図４】
0003798587.tif 000005
【図５】
0003798587.tif 000006
【図６】
0003798587.tif 000007
【図７】
0003798587.tif 000008
【図８】
0003798587.tif 000009
【図９】
0003798587.tif 000010